(57)【要約】【課題】病室の大部屋や介護・養護施設の多床室のベッド間に設置する間仕切装置において、壁と間仕切家具で囲まれたベッド空間に変化する風景をより自然に近い形で取り入れる使い勝手の良い間仕切装置を提供することを課題とする。【解決手段】左右方向に延び、前後一対に形成された天板と、該天板の左右両端部にそれぞれ配置された板状の脚体と、天板の上方の空間を前後に仕切る仕切壁と、天板の下方の空間を前後に仕切る区画壁で構成され、仕切壁に、間仕切家具とは別個に設置されたビデオカメラによって撮影される屋外風景を映像としてリアルタイムで表示するディスプレー装置を備えた間仕切家具と、病室の窓側に、風景が撮影できる角度で設置されるビデオカメラと、ビデオカメラとディスプレー装置とを接続する、ビデオカメラで撮影し電気信号化された風景画像を伝達する電気信号ケーブルで構成する。【選択図】図２
2012231991.tif 000002
【特許請求の範囲】
【請求項１】
屋外風景を撮影し電気信号化するビデオカメラと、室内に複数台配設されたベッド間に設置され、ベッド間を仕切る方向に立設する仕切壁を有し、該仕切壁のベッド側の少なくとも一面に、ビデオカメラによって撮影され電気信号化された屋外風景を映像として表示するディスプレー装置を備えた間仕切家具と、ビデオカメラによって撮影され電気信号化された屋外風景をディスプレー装置に送る伝達装置を備えたことを特徴とする間仕切装置。
【請求項２】
間仕切装置が設置される病室の窓側から見える屋外風景を、ビデオカメラを病室の窓際又は窓付近の外壁部に設置することでディスプレー装置に表示可能とすることを特徴とする請求項１記載の間仕切装置。
【請求項３】
ビデオカメラによって撮影し電気信号化された屋外風景の映像を、常にディスプレー装置に送ることでリアルタイムにディスプレー装置で表示可能とすることを特徴とする請求項１、又は、請求項２に記載の間仕切装置。
【請求項４】
ディスプレー装置を仕切壁内に設置し、該仕切壁は、ディスプレー装置の表示部に臨む該表示部と略同じ大きさとなる開口部を備えることを特徴とする請求項１、又は、請求項２、又は、請求項３に記載の間仕切装置。
【請求項５】
仕切壁は、ディスプレー装置の前面を覆う開閉自在な覆い体を備え、覆い体の開閉操作に連動して、ディスプレー装置の表示のＯＮ／ＯＦＦを行なうスイッチを備えて成る請求項１、又は、請求項２、又は、請求項３、又は、請求項４に記載の間仕切装置。
【発明の詳細な説明】
【技術分野】
【０００１】
本発明は、病室の大部屋や介護・養護施設の多床室のベッド間に設置する間仕切装置に関する。
【背景技術】
【０００２】
病室などの大部屋に収容された患者のプライバシー空間を形成するため、大部屋に複数配置されたベッドの間に、間仕切家具を設置する方法が知られている。  
通常、大部屋は、平面視略四角形を成した部屋であって、部屋の一壁面が、病院内の廊下側に面して形成され、該壁面の略中央に引戸式出入口扉が設けられ、該壁面の対向側の壁面に建屋外を臨む窓が設置される。
【０００３】
そして、この部屋は、出入口扉から窓側に向って設定された通路により二分され、二分された病室の一方の廊下側に、廊下側壁面と平行にベッドが配置され、窓側に、窓側壁面と平行にベッドが配置され、通路を挟む対向側にも、同様な方向でベッドが配置され、合計で４台のベッドが配置され４床室とされる。
【０００４】
そして、窓側に配置されたベッドと廊下側に配置されたベッドとの間に、ベッドと平行に間仕切家具が設置され、各々のベッド空間のプライバシーが確保されている。
このような、ベッド間に設置される間仕切家具は、一般的に、仕切壁部と収納体そしてテーブル用天板を備えており、仕切壁部には、半透明の採光板が嵌め込まれている。
採光板には、一方側からの光を他方側に透過するとともに、プライバシーが保たれるよう、半透明の素材ものが採用されることが多い。（例えば、特許文献１参照。）
【先行技術文献】
【特許文献】
【０００５】
【特許文献１】特開２００５−２１８７０１号公報
【発明の概要】
【発明が解決しようとする課題】
【０００６】
しかしながら、このように間仕切家具が設置された場合、窓側のベッド空間は、窓越しに刻々と変化する屋外風景を見て楽しむことができるが、廊下側のベッド空間は、壁と間仕切家具で囲まれて変化のない無機質な空間しか提供されず、使用する者にとって非常に退屈といった問題点がある。
【０００７】
本発明は、このような問題点に鑑み、壁と間仕切家具で囲まれたベッド空間に変化する風景をより自然に近い形で取り入れる使い勝手の良い間仕切装置を提供することを課題とする。
【課題を解決するための手段】
【０００８】
そこで、上記課題を解決する為、本発明が第１の手段として構成したところは、屋外風景を撮影し電気信号化するビデオカメラと、室内に複数台配設されたベッド間に設置され、ベッド間を仕切る方向に立設する仕切壁を有し、該仕切壁のベッド側の少なくとも一面に、ビデオカメラによって撮影され電気信号化された屋外風景を映像として表示するディスプレー装置を備えた間仕切家具と、ビデオカメラによって撮影され電気信号化された屋外風景をディスプレー装置に送る伝達装置を備えた間仕切装置である。
【０００９】
次に、上記課題を解決する為、本発明が第２の手段として構成したところは、第１の手段に加え、間仕切装置が設置される病室の窓側から見える屋外風景を、ビデオカメラを病室の窓際又は窓付近の外壁部に設置することでディスプレー装置に表示可能としたものである。
【００１０】
次に、上記課題を解決する為、本発明が第３の手段として構成したところは、第１の手段又は第２の手段に加え、ビデオカメラによって撮影し電気信号化された屋外風景の映像を、常にディスプレー装置に送ることでリアルタイムにディスプレー装置で表示可能としたものである。
【００１１】
次に、上記課題を解決する為、本発明が第４の手段として構成したところは、第１の手段、又は、第２の手段、又は、第３の手段に加え、ディスプレー装置を仕切壁内に設置し、該仕切壁は、ディスプレー装置の表示部に臨むディスプレー装置の表示部と略同じ大きさとなる開口部を備えたものである。
【００１２】
次に、上記課題を解決する為、本発明が第５の手段として構成したところは、第１の手段、又は、第２の手段、又は、第３の手段、又は、第４の手段に加え、仕切壁は、ディスプレー装置の前面を覆う開閉自在な覆い体を備え、覆い体の開閉操作に連動して、ディスプレー装置の表示のＯＮ／ＯＦＦを行なうスイッチを備えて成るものである。
【発明の効果】
【００１３】
第１の手段としての構成によると、窓がない廊下側に形成されるベッド空間側であっても、ディスプレー装置を通して変化する屋外風景を楽しむことができる。
【００１４】
第２、第３の手段としての構成によると、第１の手段としての構成による効果に加え、窓から見るような、より自然に近い形で変化する屋外風景を楽しむことができ、間仕切家具を挟んだ対面側の患者との共通の話題ができるので、コミュニケーションを図りやすい。
【００１５】
第４の手段としての構成によると、第２、第３の手段としての構成による効果に加え、仕切壁の開口部から映像を見ることができるため、窓から見るようなより自然に近い形で屋外風景を楽しむことができる。
【００１６】
第５の手段としての構成によると、第１、第２、第３、第４の手段としての構成による効果に加え、窓側の患者が窓際に設置されたカーテン、ブラインドや雨戸を閉める動作と同じように、患者が覆い体を閉めることによって、自動でディスプレー装置の表示を終了させることができるから、覆い体は遮光性にこだわる必要がなく、薄い布状の安価なものを使用できるばかりでなく、レースのカーテンや障子といった透過性のあるものを使用できるのでデザインの自由度が増し、より自然な形で窓際にいる雰囲気を醸し出すことができる。
【図面の簡単な説明】
【００１７】
【図１】本発明の間仕切装置の使用例を示す斜視図。
【図２】本発明の間仕切家具の斜視図。
【図３】本発明の間仕切家具の正面図。
【図４】本発明の間仕切家具の背面図。
【図５】図３のＡ−Ａ線断面図。
【図６】図３のＢ−Ｂ線断面図。
【図７】図３のＣ−Ｃ線断面図。
【図８】配線の接続状態を示す要部拡大斜視図。
【図９】実施例を示す概略図。
【図１０】クロースが開いている状態を示す覆い体の概略的正面断面図。
【図１１】クロースが閉じている状態を示す覆い体の概略的正面断面図。
【図１２】図５のＡ部拡大図。
【発明を実施するための形態】
【００１８】
本発明は、ベッド間を仕切る方向、すなわちベッドの長尺方向と平行な方向を、左右方向とし、左右方向に延び、前後一対に形成された天板と、該天板の左右両端部にそれぞれ配置された板状の脚体と、前記前後一対の天板の上方の空間に配設され、収納装置を備え、天板を前後に仕切る仕切壁と、天板の下方の空間に配設され、収納装置を備え、空間を前後に仕切る区画壁で構成され、仕切壁にビデオカメラによって撮影される屋外風景を映像としてリアルタイムで表示するディスプレー装置を備えた間仕切家具と、本発明品が設置される病室の窓側に、該窓の外の風景が撮影できる角度で設置されるビデオカメラと、ビデオカメラとディスプレー装置とを直接的あるいは間接的に接続する、ビデオカメラで撮影し電気信号化された風景画像を伝達する電気信号ケーブルで構成された間仕切装置であって、ディスプレー装置は、間仕切家具の仕切壁内部に設置され、該仕切壁にディスプレー装置によって表示される映像を見ることができる開口部が形成され、該開口部の前面側に、該開口部を覆う覆い体を開閉自在の設け、該覆い体の開閉操作に伴いディスプレー装置の表示をＯＮ／ＯＦＦさせるスイッチを設けたものである。
【００１９】
以下、実施例を添付図面に基づいて詳述する。
本発明に係る間仕切家具２は、図１に示すように、病室の大部屋や介護・養護施設の多床室のベッドの間に設置し、患者のプライバシー空間を形成するものである。
【実施例１】
【００２０】
第１実施例の間仕切装置１は、廊下側壁面と窓Ｓ側壁面と、廊下側壁面と窓Ｓ側壁面の端部をつなぐ壁面Ｗで形成された病室で使用されるものであって、間仕切家具２は、壁面Ｗ側を枕元側にして、廊下側壁面に平行に設置されるベッドＢ１と、窓Ｓ側壁面に平行に設置されるベッドＢ２との間に、ベッドの長尺方向と平行に配設されるものである。
【００２１】
間仕切家具２は、ベッド間を仕切る方向、すなわちベッドＢ１、Ｂ２の長尺方向を左右方向とし、左右方向に延びる所定高さに位置する天板１０と、該天板１０の左右両端部のそれぞれに取付けられる板状の脚体１１、１１と、天板１０の上方に形成され天板１０の上方を前後に仕切る仕切体１２と、天板１０の下方に形成され天板を前後に仕切る区画体１３を備えている。
【００２２】
仕切体１２は、天板１０の前後方向略中央部上に立設される仕切壁１２１と仕切壁１２１の左右方向中央部付近の上方に前後一対の上部収納装置１２２、１２２を備えており、該上部収納装置１２２、１２２の下面と天板１０の上面との間にはテレビが設置できる程度の空間が設けられている。
【００２３】
上部収納装置１２２は、上板１２２ａと左右の側板１２２ｂ、１２２ｂと底板１２２ｃと背板１２２ｄにより前面側が開口状態の筐体であって、該前面側が開き戸式扉１２２ｅ、１２２ｅで閉塞されている。
【００２４】
区画体１３は、天板１０の前後方向略中央部の下方に設けられる区画壁１３１と前後一対の下部収納装置１３２、１３２を備えている。
【００２５】
下部収納装置１３２は、上板１３２ａと左右の側板１３２ｂ、１３２ｂと底板１３２ｃと背板１３３ｄにより前面側が開口状態の筐体であって、該前面側が開き戸式扉１３２ｅ、１３２ｅで閉塞されている。
【００２６】
上部収納装置１２２と下部収納装置１３２の前面の開口部は、引き戸式扉や、開き戸式扉、シャッター式扉などの閉塞手段で閉塞してもよく、閉塞手段を用いずオープン型の収納としてもよい（図示せず）。
【００２７】
仕切壁１２１は、片方のベッド側に面し、所定の厚みを有する正面視横長長方形の正面板１２１ａと、他方のベッド側に面し、正面板１２１ａに対して前後方向に所定の間隔をあけ配置される、所定の厚みを有し正面板１２１ａと同じ外側寸法の横長長方形の背面板１２１ｂと正面板１２１ａと背面板１２１ｂの左右端部間そして上部端部間をつないで閉塞する縦枠１２１ｃ、１２１ｃ、上枠１２１ｄとから成り、内部に空洞部１２１ｅを形成するように構成されている。
【００２８】
前述の通り、仕切壁１２１は、上部収納装置１２２によってベッドの足元側とベッドの枕元側とに区切られていることになる。
そして仕切壁１２１は、ベッドの足元側の前記空洞部１２１ｅに、映像を映し出すディスプレー装置１４と該ディスプレー装置１４を空洞部１２１ｅ内に固定するブラケット１４1を備え、正面板１２１ａにディスプレー装置１４の表示部１４ａに表示される映像を見ることができるように、前記表示部１４ａと略同じ外形寸法で正面視横長長方形の正面開口部１２３を備えている。
【００２９】
背面板１２１ｂは、ディスプレー装置１４を出し入れできるようにディスプレー装置１４外形寸法より大きな寸法の背面開口部１２４を備えており、該背面開口部１２４を閉塞する板状のメンテナンスパネル１２４ａを着脱自在に備えている。
正面板１２１ａや背面板１２１ｂには、必要に応じてディスプレー装置１４の放熱用のスリット１２１ｆが設けられる。
【００３０】
ディスプレー装置１４は、電気信号化された画像の電気信号を受信し、映像として表示するものであり、仕切壁の厚みが厚くならないように、液晶型やプラズマ型や有機ＥＬ型などの薄型のものを用い、ディスプレー装置１４の表示部１４ａが正面開口部１２３へ向いた状態で取付けられている。
尚、ディスプレー装置を、ホワイトボードに置き換え、小型の映写機を使ってホワイトボードに画像を投影する方法でもよいが、現時点において映像の鮮明度の点からディスプレー装置の方が適している。
【００３１】
正面開口部１２３の外縁部１２３ａは、正面開口部１２３が窓の雰囲気を醸し出すように窓枠状に施されている。
具体的には、開口部１２３の外縁から上下左右それぞれの外側に１０〜５０ミリメートルまでの部分が前面側に５〜１５ミリメートルほど突起したように形成する。
また、必要に応じて、開口部１２３には開口部１２３に内包する窓サッシを設置してもよい。
【００３２】
そして、仕切壁１２１の正面開口部１２３の上方部には、ベッド空間が暗くなりすぎないように半透明の採光板１２１ｇが嵌め込まれ、正面側と背面側の双方向に光を透過させている。
【００３３】
ディスプレー装置１４は、正面側のみに設置しているが、病室の窓側のベッド空間でも窓からの景色が見にくい時などは背面側にもディスプレー装置１４を設置することができるが、通常ではコストの面から一方側のみとするほうが都合がよい。
【００３４】
次に、ビデオカメラ１５は、通常、間仕切家具２が配設された病室の窓Ｓから見える風景を撮影できるように病室の窓Ｓ側付近にビデオカメラ１５のレンズ面１５ａを窓Ｓの外に向けて設置される。
ビデオカメラ１５で撮影する風景は、窓Ｓから外を見たところに限らず、目的に合わせて自由に設定でき、例えばビデオカメラ１５の方向を空が撮影できるように設定し、雲や星空を楽しむ場合や、窓Ｓからの風景の見栄えがよくないときは、花壇などを撮影するような使い方もできる。
尚、窓Ｓの前にカーテンが設置される場合は、カーテンの開閉によって撮影に支障がでないように、窓とカーテンの間にビデオカメラが設置される。
また、ビデオカメラ１５を外壁側に設置した場合、窓の位置に左右されず比較的自由な位置に設置できるので、ビデオカメラ１５で撮影する風景の選択肢が増える。
しかしながら、設置工事が伴い費用がかかるので、病室の設計・設定に合わせて選択するほうがよい。
【００３５】
ビデオカメラ１５とディスプレー装置１４とは、ビデオカメラで撮影し電気信号化された風景画像を伝達する電気信号ケーブル１６で直接的あるいは間接的に互いに接続され、ビデオカメラ１５で撮影され電気信号に変換された風景画像は、電気信号ケーブル１６で伝達されて最終的にディスプレー装置１４に送られる。
そして、ディスプレー装置１４は、送られてきた信号を映像に変換し、表示部１４ａに表示する。
このように、常にビデオカメラ１５からディスプレー装置１４に電気信号が伝達されているので、ビデオカメラ１５で撮影された風景画像をリアルタイムにディスプレー装置１４で表示させることができる。
【００３６】
電気信号ケーブル１６は、一方端がビデオカメラ１５に接続され、他方端が後述する雌型接続端子Ｗ１に壁面Ｗ内で接続されており、両端間は天井内と壁面Ｗ内に通されている。
尚、電気信号ケーブル１６の他方端を、間仕切家具２に設けた所定の孔から間仕切家具２の上仕切壁内に引き込み、ディスプレー装置１４に直接接続してもよい。
【００３７】
電気信号の伝達方法として、電気信号ケーブルを直接的にディスプレー装置１４に接続せず、ディスプレー装置１４と接続した病院内の電子機器を相互に接続する中間制御装置に接続することや、電気信号ケーブルを用いずに、ビデオカメラ１５側に発信機、ディスプレー装置１４側に受信機を設置し電気信号を電波で飛ばす無線方式の伝達装置で伝達してもかまわない。
【００３８】
そして仕切壁１２１には、前面開口部１２３の前面を遮蔽できる覆い体１７（実施例ではカーテン）が開閉自在に吊設され、必要に応じてディスプレー装置１４からの光を遮ることができる。
尚、覆い体１７の代わりにブラインドや扉を設けてもよい。
【００３９】
覆い体１７は、カーテンレール１７１、クロース１７２を備え、カーテンレール１７１は、前面開口部１２３の上部に左右方向に向けて取り付けられ、カーテンレール１７１に内蔵している吊具１７１ａにクロース１７２が吊下げられて、クロース１７２が左右方向に開閉自在とされている。
そしてカーテンレール１７のクロース１７２の閉じ側には、スイッチ１７１ｂが設置され、クロース１７２を閉じると、吊具１７１ａによってスイッチ１７１ｂが押され、クロース１７２が閉じたことを知らせる電気信号が発信される。
該電気信号は、間仕切内に設置された配線を通ってディスプレー装置１４の制御部に送られ、信号を受けた制御部によってディスプレー装置１４の表示部１４ａの映像の表示を終了させ、表示部１４ａから光を発しない状態となる。
【００４０】
カーテンレール１７１のクロース１７２の閉じ側スイッチ１７１ｂ付近の所定の位置に、クロース１７２を閉じてスイッチ１７１ｂが押された状態が維持できるように、板バネで形成され、吊具１７１ａの動きを規制するストッパー装置１７３が設けられている。
【００４１】
そしてクロース１７２を開けると、スイッチ１７１ｂが開放され、クロース１７２が開いたことを知らせる電気信号が発信される。該電気信号は、ディスプレー装置１４の制御部に送られ、ディスプレー装置１４の表示部１４ａに映像を表示する。
【００４２】
このように覆い体１７の開閉に伴い、電気信号をコントロールしてディスプレー装置１４の表示部１４ａに映像を表示するか否かの制御を行う。
したがって、スイッチ１７１ｂのような機械的な方法を用いずとも、近接スイッチを用いて非接触で電気信号をコントロールする手段もある。
【００４３】
覆い体は、カーテン以外にブラインドや扉を用いた場合でも、これらの開閉に伴い電気信号をコントロールする機械式のスイッチや非接触式の近接スイッチを設ければよい。
尚、ディスプレー装置１４の表示部１４ａに映像を表示するか否かを、覆い体の開閉によるものに加え、リモコン装置などを使って強制的に行なう手段を付加するとより使い勝手がよくなる。
また、ディスプレー装置の表示部に表示する場合と表示しない場合に連動して、ビデオカメラの電源をＯＮ、ＯＦＦするようにすると、消費電力を抑えることができ効率がよい。
【００４４】
下部収納装置１３２でベッドの足元側とベッドの枕元側とに区切られた区画壁１３１のうち、ベッドの足元側の所定場所には、半透明の樹脂製の採光板１３１ａが嵌め込まれ、採光性が保たれているが、採光板１３１ａは病室のレイアウトや照明器具の配置に応じて、半透明、不透明を使い分けてよい。
【００４５】
次に、天板１０は、ベッドの足元側の天板１０ａと、上部収納装置１２２の下部側の天板１０ｂと、ベッドの枕元側、すなわち室内の壁面Ｗ側の天板１０ｃに分けられ、
天板１０ａは、該天板１０ａの下方部にチェア１００を配設することにより、患者用デスクとして使用され、天板１０ｂは、主にテレビなどの機器が載置される載置台として使用され、天板１０ｃは、主に看護師用の作業台として使用され、血圧計などの小型の装置を置き、吸引ビン交換準備といった時に一時的に利用される。
【００４６】
天板１０ａの左右幅は、椅子が収納できる程度であり、奥行き寸法は、Ａ４用紙を横向きに置き筆記ができる程度大きさで、具体的には２２０ミリメートルから３００ミリメートルであり、患者の移動時に障害にならないように配慮されている。
当然のごとく病室スペースに余裕がある場合は、天板の奥行き寸法を大きくしても構わない。
【００４７】
天板１０ｃは、天板を貫通する貫通孔１０ｄを備え、該貫通孔１０ｄは、開閉自在な出入口１０１ａを備えた閉塞蓋１０１で閉塞される。
貫通孔１０ｄの下方部の区画壁１３１には、前記配線を通す配線空間１３１ｂが設けられ、配線空間１３１ｂ前面側は、開閉自在なメンテナンスパネル１３１ｃで閉塞される。
天板１０ｃ側の前記脚体１１には、配線空間１３１ｂと連通する貫通孔の接続開口１１ａが設けられ、室内の壁面Ｗに接続開口１１ａに臨む雌型接続端子Ｗ１が設けられている。
【００４８】
必要に応じて間仕切家具２の天板１０の上に設置されるテレビや照明器具やパソコン等の電子機器の電気、通信電波等の配線１０１を、出入口１０１ａより挿入し、配線空間１３１ａを通し、接続開口１１ａより雌型接続端子Ｗ１に接続する。
またディスプレー装置１４の配線は、前記空洞部１２１ｅを通り、仕切壁１２１の底面に接する天板１０の所定の位置の貫通する通し孔を通って、配線空間１３１ｂを通り、前記雌型接続端子Ｗ１に接続している。
【００４９】
このように、配線は、極力外部に露出しないように間仕切家具内を通り、埃などの付着を防ぐことができるので、院内感染の防止に役立つ。そしてメンテナンスパネルの開閉により、配線と雌型接続端子Ｗ１が簡単に着脱可能なので、簡単に間仕切家具を移動することができる。
したがって間仕切家具は、病室内に固定せず、脚体の下面にアジャスター脚１１１やキャスターを設けて、容易に移動可能な状態で設置するといった使い方ができる。
尚、配線空間の一部を区切って収納部にすることも可能である。その場合メンテナンスパネルは、収納部の扉としても使用される。
【００５０】
実施例では、仕切壁１２１と区画壁１３１は、天板１０によって上下に分割されているが、これは運搬、搬入などが容易になるように上下に分離させるためである。
分離の必要がない場合は、仕切壁１２１と区画壁１３１を上下方向に一体に一つの仕切壁として形成し、前後面の所定高さに前後一対の天板を連結して構成することも可能である。
この場合、天板上方が仕切壁、天板下方が区画壁となる。
又、前後面に天板を連結しない場合は、ベッド高さを基準として、上方部分が仕切壁、下方部分が区画壁となる。
【００５１】
間仕切家具２のベッドの足元側となる端部には、間仕切家具２と略同じ高さの仕切パネル１０２が、仕切壁１２１、区画壁１３１と直行するように取付けられ、足元側からの視線を遮っている。
【００５２】
本発明の第１実施例の間仕切装置１は、上記の如く構成され、通常、病室の大部屋や介護・養護施設の多床室で使用され、間仕切家具２を多床室のベッド間に設置し、患者のプライバシー空間を確保する間仕切りとして使用される。
【００５３】
前述の通り、間仕切家具２は、ベッドの長尺寸法と略同じ長さに設定されており、別途、ベッドの足元側にベッドと直行するように、天井に、天井から略床面までの高さの間仕切カーテンが吊下げられ、ベッド周りは間仕切家具２と間仕切カーテンで囲まれ個室風の雰囲気を醸し出すことが可能となる。
【産業上の利用可能性】
【００５４】
以上のように、本発明は、病室の大部屋や介護・養護施設の多床室のベッド間に設置し、患者のプライバシー空間を確保する間仕切装置にかかわるものであり、間仕切機能に加え、風景映像を表示するディスプレー装置を備え、病室のレイアウトに左右されることなく、心地いい病室の空間を提供できるから、病室の大部屋や介護・養護施設の多床室の患者のプライバシー空間を確保する間仕切りとして広く利用することができる。
【符号の説明】
【００５５】
Ｂ１              廊下側ベッド
Ｂ２              窓側ベッド
Ｗ                壁面
Ｓ                窓
１                間仕切装置
２                間仕切家具
１２              仕切体
１３              区画体
１４              ディスプレー装置
１７              覆い体
【図１】
2012231991.tif 000003
【図２】
2012231991.tif 000004
【図３】
2012231991.tif 000005
【図４】
2012231991.tif 000006
【図５】
2012231991.tif 000007
【図６】
2012231991.tif 000008
【図７】
2012231991.tif 000009
【図８】
2012231991.tif 000010
【図９】
2012231991.tif 000011
【図１０】
2012231991.tif 000012
【図１１】
2012231991.tif 000013
【図１２】
2012231991.tif 000014